(57)【要約】【課題】斬新な遊技性を備えた遊技機を提供する。【解決手段】抽選結果を表現する図柄を表示面に表示する特別図柄液晶表示部４７ａと、上記特別図柄液晶表示部４７ａと共同することで、上記特別図柄液晶表示部４７ａが表現する抽選結果を補う特別図柄表示板表示部４７ｂとを備える遊技機５であって、上記特別図柄表示板表示部４７ｂは、加熱、又は光照射により可逆的に構造が変化し、その構造の変化に従って、吸収波長、又は反射波長が変化する材料の層が形成された図柄表示部４７ｉと、上記図柄表示部４７ｉを加熱、又は光照射することで、該図柄表示部４７ｉに所定の図柄を形成する露光機４７ｄと、上記図柄表示部４７ｉを上記特別図柄液晶表示部４７ａの上記表示面上に移動させる表示板移動装置４７ｅとを備えることを特徴とする遊技機５。【選択図】図４
2004254772.tif 000002
【特許請求の範囲】
【請求項１】
抽選結果を表現する図柄を表示面に表示する第１表示手段と、上記第１表示手段と関連又は共同することで、上記第１表示手段が表現する抽選結果を演出又は／及び補足する第２表示手段とを備える遊技機であって、
上記第２表示手段は、
加熱、又は光照射により可逆的に構造が変化し、その構造の変化に従って、吸収波長、又は反射波長が変化する材料の層が形成された図柄形成部と、
上記図柄形成部を加熱、又は光照射することで、該図柄形成部に所定の図柄を形成する図柄形成手段と、
上記図柄形成部を移動させ演出又は／及び補足する図柄形成部移動手段とを備えることを特徴とする遊技機。
【請求項２】
上記図柄形成部移動手段は、上記図柄形成部を上記第１表示手段の上記表示面上に移動させることを特徴とする請求項１に記載の遊技機。
【請求項３】
上記図柄形成部が、加熱、又は光照射により可逆的に構造が変化し、その構造の変化に従って、吸収波長、又は反射波長が変化するフォトクロミック材料の層によって形成されたことを特徴とする請求項１、又は請求項２に記載の遊技機。
【請求項４】
上記図柄形成部が、加熱、又は光照射により可逆的に構造が変化し、その構造の変化に従って、吸収波長、又は反射波長が変化して、所望の色に変化するフルカラー型のフォトクロミック材料の層によって形成されたことを特徴とする請求項１、又は請求項２に記載の遊技機。
【請求項５】
上記図柄形成部によって形成された図柄が、上記第１表示手段の表示面に表示された図柄を覆うことで、上記表示面の図柄に代わることを特徴とする請求項１ないし請求項４の何れかに記載の遊技機。
【請求項６】
上記図柄形成部によって形成された図柄が、上記第１表示手段の表示面に表示された複数の図柄の内の少なくとも１つを覆うことを特徴とする請求項５に記載の遊技機。
【請求項７】
上記表示面に形成された図柄と、上記図柄形成部によって形成された図柄とが合成されて呈する図柄によって、抽選結果を表現することを特徴とする請求項１ないし請求項６の何れかに記載の遊技機。
【請求項８】
上記第２表示手段の図柄形成部の表示状態が、上記第１表示手段の抽選結果の表現内容を変更することを特徴とする請求項１ないし請求項７の何れかに記載の遊技機。
【請求項９】
上記図柄形成部が所定の形状を有する象形部材であることを特徴とする請求項１ないし請求項８の何れかに記載の遊技機。
【請求項１０】
上記第２表示手段の図柄形成部が所定の図柄になった場合に、上記第１表示手段の抽選結果の表現内容が変更されることを特徴とする請求項１ないし請求項９の何れかに記載の遊技機。
【請求項１１】
上記第２表示手段が隠蔽された状態から露出された状態になった場合に、上記第１表示手段の抽選結果の表現内容が変更されることを特徴とする請求項１ないし請求項１０の何れかに記載の遊技機。
【発明の詳細な説明】
【０００１】
【発明の属する技術分野】
本発明は、パチンコ機やスロットル機などの遊技を提供する遊技機に関する。
【０００２】
【従来の技術】
従来、遊技機の多くは、回胴（ドラム式）表示板や液晶表示板を利用して、遊技の抽選結果を表現する構成を備え、抽選結果が当りである場合に、大当り遊技や高抽選確率遊技の提供を行うように作られている。
【０００３】
又、遊技機は、回胴（ドラム式）表示板や液晶表示板を利用しての抽選結果の表現によって、遊技の面白さや射幸感を遊技者に与えることで、遊技者に楽しい一時を過ごして貰うことを、目的に製作されている。
尚、回胴（ドラム式）表示板や液晶表示板を利用しての抽選結果の表現技術は、周知慣用技術である。
【０００４】
又、加熱、又は光照射により可逆的に構造が変化し、その構造の変化に従って、吸収波長、又は反射波長が変化して、所望の色に変化するフルカラー型のフォトクロミック材料が多数開発され、近年実用可能な材料が低コストで利用できるようになっている（特許文献１ないし６参照）。
【０００５】
【特許文献１】
特開平５−２２４３４１号公報
【特許文献２】
特開平７−１９９４０１号公報
【特許文献３】
特開２０００−４４５９２号公報
【特許文献４】
特開２０００−８９３９８号公報
【特許文献５】
特開２００２−３４１４８５号公報
【特許文献６】
特願２００２−１７１３７８号
【０００６】
【発明が解決しようとする課題】
しかしながら、従来の回胴（ドラム式）表示板や液晶表示板を利用しての抽選結果の表現技術は、遊技機の発展と共に長期間に渡って利用されていたため、斬新さを表現することが難しくなっている。このため、新たな抽選結果の表現技術の系統が求められている。
【０００７】
この様な新たな抽選結果の表現技術の系統として、４つ目の回胴などを表示して当り易さのレベルや、当りになったことを表示したり、顔、目、腕などの立体模型を回胴表示板や液晶表示板の近傍に配設して、当たる可能性が高い場合にのみ稼動させる技術などが採用されているが、この様な表現技術の系統も斬新さを表現することが難しくなる時機がくる。
【０００８】
本発明は、今まで遊技者が一度も経験したことがない抽選結果の表現技術、即ち遊技性が高く、かつ遊技の興趣を向上する技術、及びそれを可能にする構成を提供することで、新たな遊技の斬新さの表現技術の系統をスタート（構築）することを目的とする。又、これを簡便で、かつ部品点数や組立工数の増加を最小限に抑えて提供することを目的とする。
【０００９】
【課題を解決するための手段及び発明の効果】
上記課題を解決するための手段として、請求項１の発明の遊技機は、抽選結果を表現する図柄を表示面に表示する第１表示手段と、上記第１表示手段と関連又は共同することで、上記第１表示手段が表現する抽選結果を演出又は／及び補足する第２表示手段とを備える遊技機であって、上記第２表示手段は、加熱、又は光照射により可逆的に構造が変化し、その構造の変化に従って、吸収波長、又は反射波長が変化する材料の層が形成された図柄形成部と、上記図柄形成部を加熱、又は光照射することで、該図柄形成部に所定の図柄を形成する図柄形成手段と、上記図柄形成部を移動させ演出又は／及び補足する図柄形成部移動手段と
を備えることを要旨とする。
【００１０】
これにより、遊技機は、第１表示手段が抽選結果を表現する図柄（例えば、文字、模様、キャラクタ概念の図）を表示面に表示することで、遊技を提供する。
例えば、液晶表示板に３つのドラムの特別図柄を表示し、３つのドラムの図柄が予め定められた図柄になった場合に、抽選結果が当りになって、大当り遊技を提供すると言った遊技を提供する。
【００１１】
一方、第２表示手段は、図柄形成部移動手段によって図柄形成部を演出することで、図柄形成部の図柄を第１表示手段に関連又は共同させ、第１表示手段によって表現された抽選結果を補足する。又、第２表示手段は、図柄形成部移動手段によって図柄形成部を移動させることで、第１表示手段と関連又は共同させ、第１表示手段によって表現された抽選結果を補足する。或いは、第２表示手段は、図柄形成部移動手段によって図柄形成部を移動させ、演出することで、図柄形成部の図柄を第１表示手段に関連又は共同させ、第１表示手段によって表現された抽選結果を補足する。
【００１２】
例えば、第１表示手段によって、外れが表現されている状態を、第２表示手段の図柄を加えることで、或いは第２表示手段による演出で、当りを表現している状態にしたり、当りが近づいている状態を表現している状態にしたり、逆に当りが近いことが表現されている状態を外れを表現している状態にする。
【００１３】
この様に第１表示手段の表示面上に移動され、或いは移動や演出を行う図柄形成部は、加熱、又は光照射により可逆的に構造が変化し、その構造の変化に従って、吸収波長、又は反射波長が変化する材料の層、例えばフォトクロミック材料の層によって、形成され、この図柄形成部が、図柄形成手段によって加熱、又は光照射されて、その部分の吸収波長、又は反射波長が変化して、所定の図柄や象形が表示されるようになる。
【００１４】
又、この様に所定の図柄や象形が表示されるようになった図柄形成部は、再度、図柄形成手段によって加熱、又は光照射されることで、表示される図柄や象形が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【００１５】
請求項２の発明の遊技機は、上記図柄形成部移動手段は、上記図柄形成部を上記第１表示手段の上記表示面上に移動させることを特徴とする請求項１に記載の遊技機を要旨とする。
これにより、遊技機は、第１表示手段が抽選結果を表現する図柄を表示面に表示することで、遊技を提供する。
【００１６】
一方、第２表示手段は、図柄形成部に形成された図柄を図柄形成部移動手段によって第１表示手段の表示面上に移動させて、この図柄形成部の図柄を第１表示手段に関連、又は共同させ、第１表示手段によって表現された抽選結果を補足する。例えば、第１表示手段によって、外れが表現されている状態を、第２表示手段の図柄を加えることで、当りを表現している状態にしたり、当りが近づいている状態を表現している状態にしたり、逆に当りが近いことが表現されている状態を外れを表現している状態にする。
【００１７】
この様に第１表示手段の表示面上に移動される図柄形成部は、加熱、又は光照射により可逆的に構造が変化し、その構造の変化に従って、吸収波長、又は反射波長が変化する材料の層、例えばフォトクロミック材料の層によって、形成され、この図柄形成部が、図柄形成手段によって加熱、又は光照射されて、その部分の吸収波長、又は反射波長が変化して、所定の図柄が表示されるようになる。
【００１８】
又、この様に所定の図柄が表示されるようになった図柄形成部は、再度、図柄形成手段によって加熱、又は光照射されることで、表示される図柄が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【００１９】
請求項３の発明の遊技機は、上記図柄形成部が、加熱、又は光照射により可逆的に構造が変化し、その構造の変化に従って、吸収波長、又は反射波長が変化するフォトクロミック材料の層によって形成されたことを特徴とする請求項１、又は請求項２に記載の遊技機を要旨とする。
【００２０】
これにより、遊技機は、第１表示手段が抽選結果を表現する図柄を表示面に表示することで、遊技を提供する。
一方、第２表示手段は、図柄形成部移動手段によって図柄形成部を演出することで、図柄形成部の図柄を第１表示手段に関連又は共同させ、第１表示手段によって表現された抽選結果を補足する。又、第２表示手段は、図柄形成部移動手段によって図柄形成部を移動させることで、第１表示手段と関連又は共同させ、第１表示手段によって表現された抽選結果を補足する。或いは、第２表示手段は、図柄形成部移動手段によって図柄形成部を移動させ、演出することで、図柄形成部の図柄を第１表示手段に関連又は共同させ、第１表示手段によって表現された抽選結果を補足する。
【００２１】
例えば、第１表示手段によって、外れが表現されている状態を、第２表示手段の図柄を加えることで、或いは第２表示手段による演出で、当りを表現している状態にしたり、当りが近づいている状態を表現している状態にしたり、逆に当りが近いことが表現されている状態を外れを表現している状態にする。
【００２２】
この様に第１表示手段の表示面上に移動され、或いは移動や演出を行う図柄形成部は、加熱、又は光照射により可逆的に構造が変化し、その構造の変化に従って、吸収波長、又は反射波長が変化するフォトクロミック材料の層によって、形成され、この図柄形成部が、図柄形成手段によって加熱、又は光照射されて、その部分の吸収波長、又は反射波長が変化して、所定の図柄や象形が表示されるようになる。
【００２３】
又、この様に所定の図柄や象形が表示されるようになった図柄形成部は、再度、図柄形成手段によって加熱、又は光照射されることで、表示される図柄や象形が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、図柄の形成や変更を簡単に、かつ安価に行うことが可能なフォトクロミック材料が用いられることで、簡便で、かつ部品点数や組立工数の増加を最小限に抑えたうえで、提供されるという極めて優れた効果を奏する。
【００２４】
請求項４の発明の遊技機は、上記図柄形成部が、加熱、又は光照射により可逆的に構造が変化し、その構造の変化に従って、吸収波長、又は反射波長が変化して、所望の色に変化するフルカラー型のフォトクロミック材料の層によって形成されたことを特徴とする請求項１、又は請求項２に記載の遊技機を要旨とする。
【００２５】
これにより、遊技機は、第１表示手段が抽選結果を表現する図柄を表示面に表示することで、遊技を提供する。
一方、第２表示手段は、図柄形成部移動手段によって図柄形成部を演出することで、図柄形成部の図柄を第１表示手段に関連又は共同させ、第１表示手段によって表現された抽選結果を補足する。又、第２表示手段は、図柄形成部移動手段によって図柄形成部を移動させることで、第１表示手段と関連又は共同させ、第１表示手段によって表現された抽選結果を補足する。或いは、第２表示手段は、図柄形成部移動手段によって図柄形成部を移動させ、演出することで、図柄形成部の図柄を第１表示手段に関連又は共同させ、第１表示手段によって表現された抽選結果を補足する。
【００２６】
例えば、第１表示手段によって、外れが表現されている状態を、第２表示手段の図柄を加えることで、或いは第２表示手段による演出で、当りを表現している状態にしたり、当りが近づいている状態を表現している状態にしたり、逆に当りが近いことが表現されている状態を外れを表現している状態にする。
【００２７】
この様に第１表示手段の表示面上に移動され、或いは移動や演出を行う図柄形成部は、加熱、又は光照射により可逆的に構造が変化し、その構造の変化に従って、吸収波長、又は反射波長が変化するフルカラー型のフォトクロミック材料の層によって、形成され、この図柄形成部が、図柄形成手段によって加熱、又は光照射されて、その部分の吸収波長、又は反射波長が変化して、所定の図柄や象形が表示されるようになる。
【００２８】
又、この様に所定の図柄や象形が表示されるようになった図柄形成部は、再度、図柄形成手段によって加熱、又は光照射されることで、表示される図柄や象形が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、図柄の形成や変更を簡単に、かつ安価に行うことが可能なフルカラー型のフォトクロミック材料が用いられることで、簡便で、かつ部品点数や組立工数の増加を最小限に抑えたうえで、提供されるという極めて優れた効果を奏する。
【００２９】
請求項５の発明の遊技機は、上記図柄形成部によって形成された図柄が、上記第１表示手段の表示面に表示された図柄を覆うことで、上記表示面の図柄に代わることを特徴とする請求項１ないし請求４の何れかに記載の遊技機を要旨とする。
【００３０】
これにより、遊技機は、第１表示手段が抽選結果を表現する図柄を表示面に表示することで、遊技を提供する。
一方、第２表示手段は、図柄形成部に形成された図柄を図柄形成部移動手段によって第１表示手段の表示面上に移動させて、この図柄形成部の図柄で第１表示手段の表示面に表示された図柄を覆って、表示面の図柄に代わることで、第１表示手段と関連、又は共同して、抽選結果を表現する。
【００３１】
この様に第１表示手段の表示面上に移動して、図柄を覆う図柄形成部は、加熱、又は光照射により可逆的に構造が変化し、その構造の変化に従って、吸収波長、又は反射波長が変化する材料の層によって、形成され、この図柄形成部が、図柄形成手段によって加熱、又は光照射されて、その部分の吸収波長、又は反射波長が変化して、所定の図柄が表示されるようになる。
【００３２】
又、この様に所定の図柄が表示されるようになった図柄形成部は、再度、図柄形成手段によって加熱、又は光照射されることで、表示される図柄が変更される。
従って、第１表示手段による抽選結果の表現に、第２表示手段の図柄形成部による新たな抽選結果の表現手法が加えられ、今まで遊技者が一度も経験したことがない抽選結果の表現技術の提供が可能になる。
【００３３】
又、これは、図柄の形成や変更を簡単に、かつ安価に行うことが可能な材料が用いられることで、簡便で、かつ部品点数や組立工数の増加を最小限に抑えて提供されることが可能になるという極めて優れた効果を奏する。
請求項６の発明の遊技機は、上記図柄形成部によって形成された図柄が、上記第１表示手段の表示面に表示された複数の図柄の内の少なくとも１つを覆うことを特徴とする請求項５に記載の遊技機を要旨とする。
【００３４】
これにより、遊技機は、第１表示手段が抽選結果を表現する複数の図柄を表示面に表示することで、遊技を提供する。
一方、第２表示手段は、図柄形成部に形成された図柄を図柄形成部移動手段によって第１表示手段の表示面上に移動させて、この図柄形成部の図柄で第１表示手段の表示面に表示された複数の図柄の内の少なくとも１つを覆って、表示面の図柄に代わることで、第１表示手段と関連又は共同して、抽選結果を表現する。
【００３５】
この様に第１表示手段の表示面上に移動して、図柄を覆う図柄形成部は、加熱、又は光照射により可逆的に構造が変化し、その構造の変化に従って、吸収波長、又は反射波長が変化する材料の層によって、形成され、この図柄形成部が、図柄形成手段によって加熱、又は光照射されて、その部分の吸収波長、又は反射波長が変化して、所定の図柄が表示されるようになる。
【００３６】
又、この様に所定の図柄が表示されるようになった図柄形成部は、再度、図柄形成手段によって加熱、又は光照射されることで、表示される図柄が変更される。
従って、第１表示手段による抽選結果の表現に、第２表示手段の図柄形成部による新たな抽選結果の表現手法が加えられ、今まで遊技者が一度も経験したことがない抽選結果の表現技術の提供が可能になる。
【００３７】
又、これは、図柄の形成や変更を簡単に、かつ安価に行うことが可能な材料が用いられることで、簡便で、かつ部品点数や組立工数の増加を最小限に抑えて提供されることが可能になるという極めて優れた効果を奏する。
請求項７の発明の遊技機は、上記表示面に形成された図柄と、上記図柄形成部によって形成された図柄とが合成されて呈する図柄によって、抽選結果を表現することを特徴とする請求項１ないし請求項６の何れかに記載の遊技機を要旨とする。
【００３８】
これにより、遊技機は、第１表示手段が抽選結果を表現する図柄を表示面に表示することで、遊技を提供する。
一方、第２表示手段は、図柄形成部に形成された図柄を図柄形成部移動手段によって第１表示手段の表示面上に移動させて、この図柄形成部の図柄と第１表示手段の表示面に表示された図柄とが合成されて呈する図柄によって、抽選結果を表現する。
【００３９】
この様に第１表示手段の表示面上に移動して、図柄が合成される図柄形成部は、加熱、又は光照射により可逆的に構造が変化し、その構造の変化に従って、吸収波長、又は反射波長が変化する材料の層によって、形成され、この図柄形成部が、図柄形成手段によって加熱、又は光照射されて、その部分の吸収波長、又は反射波長が変化して、所定の図柄が表示されるようになる。
【００４０】
又、この様に所定の図柄が表示されるようになった図柄形成部は、再度、図柄形成手段によって加熱、又は光照射されることで、表示される図柄が変更される。
従って、第１表示手段による抽選結果の表現に、第２表示手段の図柄形成部による新たな抽選結果の表現手法が加えられ、今まで遊技者が一度も経験したことがない抽選結果の表現技術の提供が可能になる。
【００４１】
又、これは、図柄の形成や変更を簡単に、かつ安価に行うことが可能な材料が用いられることで、簡便で、かつ部品点数や組立工数の増加を最小限に抑えて提供されることが可能になるという極めて優れた効果を奏する。
請求項８の発明の遊技機は、上記第２表示手段の図柄形成部の表示状態が、上記第１表示手段の抽選結果の表現内容を変更することを特徴とする請求項１ないし請求項７の何れかに記載の遊技機を要旨とする。
【００４２】
これにより、遊技機は、第１表示手段が抽選結果を表現する図柄を表示面に表示することで、遊技を提供する。
一方、第２表示手段は、図柄形成部移動手段によって図柄形成部を演出することで、図柄形成部の図柄を第１表示手段に関連又は共同させ、第１表示手段によって表現された抽選結果を変更する。又、第２表示手段は、図柄形成部移動手段によって図柄形成部を移動させることで、第１表示手段と関連又は共同させ、第１表示手段によって表現された抽選結果を変更する。或いは、第２表示手段は、図柄形成部移動手段によって図柄形成部を移動させ、演出することで、図柄形成部の図柄を第１表示手段に関連又は共同させ、第１表示手段によって表現された抽選結果を変更する。例えば、第１表示手段が外れの状態でも、第２表示手段が、所定の表示状態になった場合に、当りになる遊技の提供が可能になる。
【００４３】
この様に第１表示手段の表示面上に移動され、或いは移動や演出を行う図柄形成部は、加熱、又は光照射により可逆的に構造が変化し、その構造の変化に従って、吸収波長、又は反射波長が変化する材料の層、例えばフォトクロミック材料の層によって、形成され、この図柄形成部が、図柄形成手段によって加熱、又は光照射されて、その部分の吸収波長、又は反射波長が変化して、所定の図柄や象形が表示されるようになる。
【００４４】
又、この様に所定の図柄や象形が表示されるようになった図柄形成部は、再度、図柄形成手段によって加熱、又は光照射されることで、表示される図柄や象形が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【００４５】
請求項９の発明の遊技機は、上記図柄形成部が所定の形状を有する象形部材であることを特徴とする請求項１ないし請求項８の何れかに記載の遊技機を要旨とする。
これにより、遊技機は、第１表示手段が抽選結果を表現する図柄を表示面に表示することで、遊技を提供する。
【００４６】
一方、第２表示手段は、図柄形成部移動手段によって所定の形状を有する象形部材である図柄形成部を演出することで、図柄形成部の図柄を第１表示手段に関連又は共同させ、第１表示手段によって表現された抽選結果を補足や変更する。
又、第２表示手段は、図柄形成部移動手段によって所定の形状を有する象形部材である図柄形成部を移動させることで、第１表示手段と関連又は共同させ、第１表示手段によって表現された抽選結果を補足や変更する。或いは、第２表示手段は、図柄形成部移動手段によって所定の形状を有する象形部材である図柄形成部を移動させ、演出することで、図柄形成部の図柄を第１表示手段に関連又は共同させ、第１表示手段によって表現された抽選結果を補足や変更する。例えば、第１表示手段が外れの状態でも、第２表示手段が、所定の象形部材になった場合に、当りになる遊技の提供が可能になる。
【００４７】
この様に第１表示手段の表示面上に移動され、或いは移動や演出を行う所定の形状を有する象形部材である図柄形成部は、加熱、又は光照射により可逆的に構造が変化し、その構造の変化に従って、吸収波長、又は反射波長が変化する材料の層、例えばフォトクロミック材料の層によって、形成され、この図柄形成部が、図柄形成手段によって加熱、又は光照射されて、その部分の吸収波長、又は反射波長が変化して、所定の図柄や象形が表示されるようになる。
【００４８】
又、この様に所定の形状を有する象形部材である図柄形成部は、再度、図柄形成手段によって加熱、又は光照射されることで、表示される図柄や象形が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【００４９】
請求項１０の発明の遊技機は、上記第２表示手段の図柄形成部が所定の図柄になった場合に、上記第１表示手段の抽選結果の表現内容が変更されることを特徴とする請求項１ないし請求項９の何れかに記載の遊技機を要旨とする。
これにより、遊技機は、第１表示手段が抽選結果を表現する図柄を表示面に表示することで、遊技を提供する。
【００５０】
一方、第２表示手段は、図柄形成部移動手段によって所定の図柄の図柄形成部を演出することで、図柄形成部の図柄を第１表示手段に関連又は共同させ、第１表示手段によって表現された抽選結果を変更する。又、第２表示手段は、図柄形成部移動手段によって所定の図柄の図柄形成部を移動させることで、第１表示手段と関連又は共同させ、第１表示手段によって表現された抽選結果を変更する。
或いは、第２表示手段は、図柄形成部移動手段によって所定の図柄の図柄形成部を移動させ、演出することで、図柄形成部の図柄を第１表示手段に関連又は共同させ、第１表示手段によって表現された抽選結果を変更する。例えば、第１表示手段が外れの状態でも、第２表示手段が、所定の図柄になった場合に、当りになる遊技の提供が可能になる。
【００５１】
この様に第１表示手段の表示面上に移動され、或いは移動や演出を行う図柄形成部は、加熱、又は光照射により可逆的に構造が変化し、その構造の変化に従って、吸収波長、又は反射波長が変化する材料の層、例えばフォトクロミック材料の層によって、形成され、この図柄形成部が、図柄形成手段によって加熱、又は光照射されて、その部分の吸収波長、又は反射波長が変化して、所定の図柄が表示されるようになる。
【００５２】
又、この様に所定の図柄が表示されるようになった図柄形成部は、再度、図柄形成手段によって加熱、又は光照射されることで、表示される図柄が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【００５３】
請求項１１の発明の遊技機は、上記第２表示手段が隠蔽された状態から露出された状態になった場合に、上記第１表示手段の抽選結果の表現内容が変更されることを特徴とする請求項１ないし請求項１０の何れかに記載の遊技機を要旨とする。
【００５４】
これにより、遊技機は、第１表示手段が抽選結果を表現する図柄を表示面に表示することで、遊技を提供する。
一方、第２表示手段は、図柄形成部移動手段によって図柄形成部が隠蔽された状態から露出された状態になった場合に、第１表示手段によって表現された抽選結果を変更する。
【００５５】
例えば、第１表示手段が外れの状態でも、第２表示手段が、出現したら、当りになる遊技の提供が可能になる。
この様に出現する図柄形成部は、加熱、又は光照射により可逆的に構造が変化し、その構造の変化に従って、吸収波長、又は反射波長が変化する材料の層、例えばフォトクロミック材料の層によって、形成され、この図柄形成部が、図柄形成手段によって加熱、又は光照射されて、その部分の吸収波長、又は反射波長が変化して、所定の図柄が表示されるようになる。
【００５６】
又、この様に出現する図柄形成部は、再度、図柄形成手段によって加熱、又は光照射されることで、表示される図柄が変更される。
従って、第１表示手段による抽選結果の表現に、第２表示手段の図柄形成部による新たな抽選結果の表現手法、即ち液晶表示板でもなく、発光素子による表示板でもなく、模型や図柄による表示板でもない物体上の図柄が可逆的に書き換えられる表示手法が加えられ、今まで遊技者が一度も経験したことがない抽選結果の表現技術により、即ち遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【００５７】
【発明の実施の形態】
次に発明の実施の形態を説明する。
図１は、本発明の一実施例の遊技機５の正面図、図２は、遊技機５の主基板１と、賞球制御基板３、音声ランプ図柄制御基板７と、発射制御基板１３と、電源基板１５との間のインタフェースに関するブロック図、図３は、遊技機５の電気制御系のブロック図を示す。
【００５８】
遊技機５は、パチンコ遊技を提供するものであって、図１に示すように、遊技機５の筺体を提供する遊技機枠１０１と、この遊技機枠１０１に取り付けられた遊技盤１０３と、上皿１０５と、下皿１０７と、発射ハンドル１０９とを備えている。遊技盤１０３には、特別図柄遊技を表示する特別図柄表示装置４７と、特別図柄始動入賞口１１１と、２個の普通図柄始動口１１３と、遊技機５のマスコット飾り１１５と、特別図柄の大当りの場合に開放する大入賞口１１６とが取り付けられている。
【００５９】
この特別図柄表示装置４７は、詳細は後述するが従来の遊技機で慣用されている液晶表示板を用いた特別図柄液晶表示機とほぼ同様の構成を有する特別図柄液晶表示部（特別図柄ＬＥＤとも記す。）４７ａと、この特別図柄液晶表示部４７ａ上に移動して、図柄を表示する特別図柄表示板表示部４７ｂとから構成されている。又、特別図柄表示板表示部４７ｂは、図柄が形成される表示板４７ｃと、この表示板４７ｃに図柄を形成する露光機４７ｄと、表示板４７ｃを特別図柄液晶表示部４７ａ上に移動させる表示板移動装置４７ｅとを備えている。
【００６０】
又、特別図柄始動入賞口１１１には、普通図柄始動口１１３への遊技球１０６の通過で変動を開始する普通図柄表示装置４９と、この普通図柄表示装置４９が当りの場合に開放される普通電動役物１１２とが取り付けられている。この普通電動役物１１２が開放されると、特別図柄始動入賞口１１１に遊技球１０６が入賞し易くなる。
【００６１】
又、遊技機５は、遊技機枠１０１の内部に、図２と図３に示すような主制御を行う主基板１と、副制御を行う賞球制御基板３、音声ランプ図柄制御基板７、発射制御基板１３、及び電源基板１５とを備えている。
主基板１には、図３に示すように、下記に内容を示すような入力スイッチ（入力ＳＷ）１６と、大入賞口ＳＯＬ、普通電動役物ＳＯＬなどの出力ソレノイド（出力ＳＯＬ）１８と、図柄確定回数、大当り、大入賞口などの状態信号を出力する盤用外部端子板２１と、補給球不足スイッチ（補給球不足ＳＷ）２３と、下受け皿満杯スイッチ（下受け皿満杯ＳＷ）２５とが接続されている。
【００６２】
入力ＳＷ１６は、図３に示すように、第１種始動口ＳＷ、特定領域ＳＷ、大入賞口ＳＷ（カウントＳＷ兼用）、左右の普通図柄作動ゲートＳＷ、普通電動役物ＳＷ、普通入賞口ＳＷ（左右袖入賞口ＳＷ、左右落し入賞口ＳＷ）などから構成され、これらの出力を９ビットのスイッチ（ＳＷ）信号線によって、主基板１に供給する。
【００６３】
又、主基板１は、電源基板１５から＋３２Ｖ電源と、＋１２Ｖ電源と、＋５Ｖ電源と、バックアップ電源と、リセット信号と、停電信号と、クリア信号とを入力する。
この様に入力した信号は、主基板１で遊技を提供するために利用される。又、主基板１から、８ビットのデータ信号と、１ビットのストローブ信号と、リセット信号と、停電信号と、クリア信号とが賞球制御基板３に供給される。
【００６４】
又、８ビットのデータ信号と、１ビットのストローブ信号と、リセット信号とが音声ランプ図柄制御基板７に供給される。
これらにより、概ね以下に示すような処理が行われる。
賞球制御基板３は、主基板１から入力したデータ信号と、ストローブ信号とに基づき、賞球ＳＷ１（３１）、賞球ＳＷ２（３２）、貸球ＳＷ１（３３）、貸球ＳＷ２（３４）、賞球モータ制御ＳＷ３５、賞球モータ３７を利用して、枠用外部端子板４１に情報出力などを実行したり、遊技球１０６を上皿１０５に払い出すと共に、１ビットの発射制御信号を発射制御基板１３に出力する。又、賞球制御基板３には、状態表示器４６が取り付けられると共に、枠用外部端子板４１が接続されている。尚、枠用外部端子板４１には、情報出力端子、不正出力端子、賞球端子、球貸し端子、金枠開放端子、内枠開放端子が設けられ、この金枠開放端子に金枠開放ＳＷ４３が接続され、内枠開放端子に内枠開放ＳＷ４５が接続されている。
【００６５】
賞球ＳＷ１（３１）と、賞球ＳＷ２（３２）とは、賞球個数をカウントする。
貸球ＳＷ１（３３）と、貸球ＳＷ２（３４）とは、貸球個数をカウントする。
尚、明細書中では、貸球と、球貸し等の用語が混在しているが、ほぼ同意味である。
【００６６】
音声ランプ図柄制御基板７は、主基板１から送信されてきたデータ信号と、ストローブ信号と、リセット信号とに基づき、特別図柄液晶表示部（特別図柄ＬＣＤ）４７ａと、露光機４７ｄと、表示板移動装置４７ｅと、普通図柄表示装置（普通図柄７セグメントＬＣＤ）４９とを利用して、遊技の特別図柄と、普通図柄とを表示する。
【００６７】
又、ＬＥＤが発光する電飾５３を利用して、特別図柄や遊技内容に同期した電飾パターンを発生すると共に、スピーカー５１から遊技内容に対応した効果音やアナウンスを発生する。この音声ランプ図柄制御基板７は、従来、音声基板、ランプ基板、図柄制御基板というように分かれていた副制御基板を１つにしたものである。従って、音声ランプ図柄制御基板７は、従来の音声基板、ランプ基板、図柄制御基板が実行していた処理とほぼ同様の処理を実行する。
【００６８】
又、この様に１体化したことにより、省スペース、省エネルギ、低コスト化、及び音響、電飾、画像表示の同期化が可能になる。
発射制御基板１３は、１ビットの発射制御信号を賞球制御基板３から入力し、タッチプレート６１と、発射停止ＳＷ６３と、発射モータ６５とに接続され、遊技球１０６の発射状態を制御する。
【００６９】
以上に概略を説明した主基板１と、賞球制御基板３と、音声ランプ図柄制御基板７と、発射制御基板１３とには、電源基板１５からのリセット信号線ＲＳＷと、＋５Ｖ電源供給線ＤＧＷ５と、＋１２Ｖ電源供給線ＤＧＷ１２とが接続されている。又、主基板１と、発射制御基板１３とには、＋３２Ｖ電源供給線ＤＧＷ３２が接続され、音声ランプ図柄制御基板７には、＋２４Ｖ電源供給線ＤＧＷ２４が接続されている。
【００７０】
リセット信号線ＲＳＷは、主基板１と、賞球制御基板３と、音声ランプ図柄制御基板７と、発射制御基板１３とを電源基板１５から一括して、リセットするためのものであって、主として、電源供給開始時の初期化に用いられる。尚、リセット信号線ＲＳＷは、電源基板１５から、先ず主基板１と発射制御基板１３とに供給される。次いで、主基板１内で、分岐されて、賞球制御基板３と、音声ランプ図柄制御基板７とに送られる。この様に主基板１から送り配線によって、リセット信号を各基板に配給することにより、電源基板１５から賞球制御基板３や音声ランプ図柄制御基板７など各基板に直接配線する数が低減され、接続配線の組み付け工数や解体工数の低減を図ることが可能になる。
【００７１】
又、電源基板１５からは、停電信号線ＴＳＷと、バックアップ電源線ＢＫＷと、クリア信号線ＣＳＷとが主基板１に接続されている。電源基板１５から賞球制御基板３には、バックアップ電源線ＢＫＷが接続されている。尚、停電信号線ＴＳＷは、電源基板１５から、先ず主基板１に供給され、主基板１内で、分岐されて、賞球制御基板３に送られている。
【００７２】
クリア信号線ＣＳＷは、電源基板１５から、先ず主基板１に供給され、主基板１内で、分岐されて、賞球制御基板３に送られている。
停電信号線ＴＳＷと、バックアップ電源線ＢＫＷと、クリア信号線ＣＳＷとが供給される主基板１と、賞球制御基板３には、共に周知の遊技機用のセキュリティを考慮したマイクロ制御ユニット（マイクロコンピュータを利用した制御ユニット）が備えられている。このマイクロ制御ユニットには、ＣＰＵ、ＲＯＭ、ＲＡＭが備えられている。ＲＡＭは、バックアップ電源線ＢＫＷが供給するバックアップ電源によって、＋５Ｖ電源供給線ＤＧＷ５が供給する＋５Ｖ電源の電力の低下後もデータを保持する。ここでは、バックアップ電源線ＢＫＷに電力を供給する電源基板１５は、遊技機５に供給されていたＡＣ２４Ｖ電源が遮断されて後、２０時間以上バックアップ電源を供給する能力を有する。
【００７３】
次に、図２に基づいて、電源基板１５と、主基板１と、賞球制御基板３と、音声ランプ図柄制御基板７と、発射制御基板１３との間で、電源供給と信号供給とを行う構成を説明する。なお、詳細な構成の説明は省略する。
電源基板１５は、主基板１と、賞球制御基板３と、音声ランプ図柄制御基板７と、発射制御基板１３とに、電源供給と信号供給とを行うために、クリアＳＷ１２１と、停電信号作成回路１２３と、リセット信号作成回路１２５と、主基板及び賞球制御基板用バックアップ電源作成回路１２７と、＋５Ｖ、＋１２Ｖ電源作成回路１３１と、＋２４Ｖ、＋３２Ｖ電源作成回路１３３とを備えている。
【００７４】
クリアＳＷ１２１は、遊技機５の裏側から操作可能な位置に取り付けられている押しボタンスイッチ構造であって、電源基板１５上に取り付けられている。なお、押しボタン構造に替えて、所定の鍵によって操作するキースイッチ構造としても良い。クリアＳＷ１２１には、クリア信号線ＣＳＷが接続されている。クリア信号線ＣＳＷは、先ず、主基板１に接続され、次いで、送り配線で賞球制御基板３に接続されている。
【００７５】
停電信号作成回路１２３は、停電信号線ＴＳＷに接続され、停電信号を主基板１と、賞球制御基板３とに出力する。
リセット信号作成回路１２５は、リセット信号線ＲＳＷに接続され、リセット信号を主基板１と、賞球制御基板３と、音声ランプ図柄制御基板７と、発射制御基板１３とに出力する。
【００７６】
主基板及び賞球制御基板用バックアップ電源作成回路１２７は、バックアップ電源線ＢＫＷに接続され、バックアップ電源を主基板１と、賞球制御基板３とに出力する。
＋５Ｖ、＋１２Ｖ電源作成回路１３１は、＋５Ｖ電源供給線ＤＧＷ５と、＋１２Ｖ電源供給線ＤＧＷ１２とに接続され、＋５Ｖ電源と、＋１２Ｖ電源とを主基板１と、賞球制御基板３と、音声ランプ図柄制御基板７と、発射制御基板１３とに出力する。
【００７７】
＋２４Ｖ、＋３２Ｖ電源作成回路１３３は、＋２４Ｖ電源供給線ＤＧＷ２４と、＋３２Ｖ電源供給線ＤＧＷ３２とに接続され、後述する＋２４Ｖ電源を音声ランプ図柄制御基板７に供給し、＋３２Ｖ電源を主基板１と、発射制御基板１３とに出力する。
【００７８】
電源基板１５から電源（＋５Ｖ、＋１２Ｖ、＋３２Ｖ）やリセット信号等の供給を受ける主基板１は、ＣＰＵ，ＲＯＭ，ＲＡＭ等を備えたマイクロ制御ユニット（ＭＰＵ）７１と、このＭＰＵ７１に接続されたシステムリセット回路１４１と、停電信号受信回路１４３と、クリア信号受信回路１４５と、ポート回路１４７と、ストローブ信号送信回路１４９と、データ信号送信回路１５０とを備えている。
【００７９】
ＭＰＵ７１は、ＲＥＳＥＴ端子１５１と、ＮＭＩ端子１５３と、ＰＯＲＴ端子１５７と、ＤＡＴＡ端子１５９とを備えている。なお、ＮＭＩ端子１５３の様に、「ＮＭＩ」の文字の上のラインである、ローイネーブルを示すラインは、図面にのみ記載し、明細書中では、記載を省略する。ＭＰＵ７１、８３の端子の説明に用いる各記号に関しては、特に説明のない限り米国ザイログ社の商標「Ｚ８０」で表示されるマイクロプロセッサーの規格に準拠する。
【００８０】
ＲＥＳＥＴ端子１５１は、リセット信号線ＲＳＷに接続されたシステムリセット回路１４１が接続されており、システムリセット回路１４１を介して、リセット信号を入力する。なお、ＭＰＵ７１の詳細な動作の説明は、省略する。
ＮＭＩ端子１５３は、停電信号線ＴＳＷに接続された停電信号受信回路１４３が接続されており、停電信号受信回路１４３を介して、停電信号を入力する。
【００８１】
ＰＯＲＴ端子１５７は、クリア信号線ＣＳＷに接続されたクリア信号受信回路１４５が接続されており、クリア信号受信回路１４５を介して、クリア信号を入力する。
ＤＡＴＡ端子１５９は、ポート回路１４７を介して、ストローブ信号送信回路１４９と、データ信号送信回路１５０とにデータを出力することによって、賞球制御基板３と、音声ランプ図柄制御基板７とを直接制御するためのストローブ信号と、データ信号とを出力する。ストローブ信号は、ストローブ信号線ＳＴＢＷに出力され、データ信号は、データ信号線ＤＡＴＡＷに出力される。
【００８２】
電源基板１５から電源（＋５Ｖ、＋１２Ｖ）の供給を受け、主基板１を経由して電源基板１５からリセット信号等の供給を受ける賞球制御基板３は、ＣＰＵ，ＲＯＭ，ＲＡＭ等を備えたマイクロ制御ユニット（ＭＰＵ）８３と、このＭＰＵ８３に接続されたシステムリセット回路１６１と、停電信号受信回路１６３と、ストローブ信号受信回路１６５と、データ信号受信回路１６７と、ポート回路１６９と、発射制御信号出力回路１７１と、クリア信号受信回路１７７とを備えている。
【００８３】
ＭＰＵ８３は、ＲＥＳＥＴ端子１７３と、ＮＭＩ端子１７５と、ＰＯＲＴ端子１８０と、ＣＬＫ／ＴＲＧ２端子１７９と、ＤＡＴＡ端子１８３とを備えている。
ＲＥＳＥＴ端子１７３は、リセット信号線ＲＳＷに接続されたシステムリセット回路１６１が接続されており、システムリセット回路１６１を介して、リセット信号を入力する。なお、ＭＰＵ８３の動作の詳細な説明は、省略する。
【００８４】
ＮＭＩ端子１７５は、停電信号線ＴＳＷに接続された停電信号受信回路１６３が接続されており、停電信号受信回路１６３を介して、停電信号を入力する。
ＣＬＫ／ＴＲＧ２端子１７９は、ストローブ信号線ＳＴＢＷに接続されたストローブ信号受信回路１６５が接続されており、ストローブ信号受信回路１６５を介して、ストローブ信号を入力する。
【００８５】
ＤＡＴＡ端子１８３は、データ信号線ＤＡＴＡＷに接続されたデータ信号受信回路１６７と、ポート回路１６９とを介して、データ信号を入力する。
又、ポート回路１６９によって分岐されたデータ信号は、発射制御信号出力回路１７１に接続されている。
【００８６】
電源基板１５から電源（＋５Ｖ、＋１２Ｖ、＋２４Ｖ）やリセット信号等の供給を受ける音声ランプ図柄制御基板７は、ＣＰＵ，ＲＯＭ，ＲＡＭ等を備えたマイクロ制御ユニット（ＭＰＵ）１８１と、このＭＰＵ１８１に接続されたシステムリセット回路１８４と、ストローブ信号受信回路１８５と、データ信号受信回路１８７と、同期信号出力回路１８２とを備えている。尚、同期信号出力回路１８２は、音声ランプ図柄制御基板７の動作タイミングを他の遊技機５と同期させる場合に用いる同期信号を出力するものである。ここでは、詳細な説明を省略する。又、この同期信号出力回路１８２は、音声ランプ図柄制御基板７に備えられていてもよく、或いは備えられていなくても良い。
【００８７】
この同期信号出力回路１８２によって、音声ランプ図柄制御基板７の図柄の表示開始（デモ図柄やアイドリング図柄の表示開始）や電飾の表示開始（大当りの電飾の表示開始）の動作タイミングを例えば、リセット信号の入力後、５秒刻みで、他の遊技機５と同期させている場合には、所謂ゴト行為によって、リセット信号を不正に発生させると、その遊技機５の図柄の表示開始や電飾の表示開始の動作タイミングだけが変更されることになる。即ち、不正が仕掛けられた遊技機５の図柄の表示タイミングや電飾の表示タイミングだけがずれることになり、間接的にゴト行為が仕掛けられたことの表示がなされることになる。
【００８８】
ＭＰＵ１８１は、ＲＥＳＥＴ端子１８９と、ＩＮＴ０端子１９１と、ＰＯＲＴ端子１９３、１９４、１９６とを備えている。
ＲＥＳＥＴ端子１８９は、リセット信号線ＲＳＷに接続されたシステムリセット回路１８４が接続されており、システムリセット回路１８４を介して、リセット信号を入力する。なお、ＭＰＵ１８１の詳細な動作の説明は省略する。
【００８９】
ＩＮＴ０端子１９１は、ストローブ信号線ＳＴＢＷに接続されたストローブ信号受信回路１８５が接続されており、ストローブ信号受信回路１８５を介して、ローイネーブルのストローブ信号を入力する。
ＰＯＲＴ端子１９３は、データ信号線ＤＡＴＡＷに接続されたデータ信号受信回路１８７を介して、データ信号を入力する。
【００９０】
ＰＯＲＴ端子１９４と、ＰＯＲＴ端子１９６とは、同期信号出力回路１８２に接続されている。又、同期信号出力回路１８２には、リセット信号が入力されている。
電源基板１５から電源（＋５Ｖ、＋１２Ｖ、＋３２Ｖ）やリセット信号等の供給を受ける発射制御基板１３は、電子制御回路を備えた発射制御回路２５１と、この発射制御回路２５１に接続されたリセット回路２５３と、発射制御信号入力回路２５５とを備えている。
【００９１】
発射制御回路２５１は、リセット信号線ＲＳＷに接続されたリセット回路２５３を介して、リセット信号を入力し、発射制御信号線ＨＳＳＷに接続された発射制御信号入力回路２５５を介して、発射制御信号を入力する。
次に、遊技機５に、今までの遊技機にはなかった斬新な遊技性を提供する特別図柄表示装置４７の構成と動作を説明する。
【００９２】
特別図柄表示装置４７は、図４に示すように、特別図柄液晶表示部４７ａを備えている。この特別図柄液晶表示部４７ａは、数インチ程度のカラー液晶表示板であって、慣用されている３ドラム型特別図柄遊技画像、つまり変動図柄が３個（又は複数）あって、３個（複数）の図柄が予め決められている状態になると大当りの抽選結果を表現し、その後大当り遊技に移行する遊技画像を表示する。尚、この特別図柄液晶表示部４７ａは、液晶表示に限ることはなく、他の発光要素による図柄表示によるものや描かれた図柄を利用する回胴表示板型でも良い。つまり、何らかの図柄や画像などによって、抽選結果を表現するものであれば何でも良い。この特別図柄液晶表示部４７ａに表示される画像は、主基板１からの指令に基づいて、音声ランプ図柄制御基板７が図示しない画像表示プログラムやキャラクタージェネレータ、及びデータテーブルを利用して、慣用されている方法で生成される。尚、慣用されている方法とほぼ同様なので、詳細な説明は省略する。
【００９３】
この様な３ドラム型特別図柄遊技画像を表示する特別図柄液晶表示部４７ａは、表示面４７ｆの全範囲が遊技盤１０３上に露出する状態で、配設されている。この特別図柄液晶表示部４７ａの表示面４７ｆに隣接する位置で、かつ遊技盤１０３上に露出することがない位置、つまり遊技者が見ることがない位置に、収納部４７ｇが形成されている。
【００９４】
この収納部４７ｇには、表示板４７ｃが収納されると共に、この表示板４７ｃに対向する位置に露光機４７ｄが配設されている。
表示板４７ｃは、長方形の板状を有するベース板４７ｈと、このベース板４７ｈ上で、かつ遊技者に対向する面に設置された図柄表示部４７ｉとを備えている。ベース板４７ｈは、遊技者に対向する面に白色塗装が施されており、収納部４７ｇ外に出て、特別図柄液晶表示部４７ａの表示面４７ｆ上に出た場合に、白色面を呈する。
【００９５】
図５の（Ａ）は、図柄表示部４７ｉの部分正面図、図５の（Ｂ）は、Ａ−Ａ断面図である。
図柄表示部４７ｉは、図４に点線で示すように、７セグメントによる数値表示形状に構成されており、図５の（Ａ）に示すように各セグメント４７ｊ同士が所定距離ｄｔ離間すると共に、各セグメント４７ｊは、図５の（Ｂ）に示すように、ベース板４７ｈに凹状４７ｋに形成され、この凹状４７ｋの底部４７ｌにフルカラー型のフォトクロミック材料の層４７ｍを備えている。
【００９６】
このフルカラー型のフォトクロミック材料の層４７ｍは、例えば特許文献６や特許文献１ないし５の何れかに開示されているフォトクロミック材料と同様のものを層状にしたものである。
例えば、特許文献６に開示されているフォトクロミック材料（酸化チタンの薄い膜に、銀イオンを付着させ、紫外線を照射して銀をナノメートルサイズの微粒子にしたもの。銀の微粒子が、その形状や大きさに応じて特定の色の光を吸収して、イオン化し、光を反射することで、その色が見えると理論付けされている。
又、この材料は、紫外線を照射することで、褐色に戻る。）の様に、加熱、又は光照射により可逆的に構造が変化し、その構造の変化に従って、吸収波長、又は反射波長が変化して、所望の色に変化するフルカラー型のフォトクロミック材料の層がフルカラー型のフォトクロミック材料の層４７ｍとして、形成されている。
【００９７】
これにより、図柄表示部４７ｉは、露光機４７ｄによって、加熱、又は光照射により可逆的に構造が変化し、その構造の変化に従って、吸収波長、又は反射波長が変化して、所望の色に変化し、その変化した色によって、７セグメントで表現されるフルカラーの数値図柄を表現する構成を有する。
【００９８】
図６の（Ａ）は、露光機４７ｄの露光部４７ｎの正面図、図６の（Ｂ）は、そのＢ−Ｂ断面図を示す。
この様に図柄表示部４７ｉに対向して配置され、フルカラーの数値図柄を表示させるために用いられる露光機４７ｄの露光部４７ｎは、図柄表示部４７ｉの各セグメント４７ｊに対向する状態で各発光セグメント４７ｔが配設され、各発光セグメント４７ｔは、フルカラー型のフォトクロミック材料の層４７ｍに対応した仕様・規格の加熱、又は光照射を行うものであって、ここでは、光の３原色の発光を行う赤、緑、青発光素子４７ｏ、４７ｐ、４７ｑと、白色発光を行う発光素子４７ｒと、紫外線発光を行う紫外線発光素子４７ｓとを多数備えている。
【００９９】
発光セグメント４７ｔは、図６の（Ｂ）に示すように、壁部４７ｕによって、外周が包囲されている。
この壁部４７ｕは、図５の（Ｂ）に示したベース板４７ｈの凹状４７ｋ内に填まり込む寸法・形状に突出部４７ｖが形成され、発光セグメント４７ｔによって発光された光が全て、凹状４７ｋの底部４７ｌのフルカラー型のフォトクロミック材料の層４７ｍに照射されるように構成されている。これにより、発光セグメント４７ｔが填まったセグメント４７ｊに全発光量が照射されることで、露光効率が向上されると共に、他のセグメント４７ｊを誤って露光してしまうことを防止することが可能になる。従って、各セグメント４７ｊを別の表示色にした場合の混色が防止され、色彩の表現が明瞭になって、明瞭な図柄の表示が可能になる。つまり、図柄が明瞭に見えるようになる。尚、図６の（Ａ）では、１つの発光セグメント４７ｔにのみ発光素子４７ｏ〜４７ｓの図示をし、他の発光セグメント４７ｔに対する発光素子４７ｏ〜４７ｓの図示を省略した。又、発光素子４７ｏ〜４７ｓの配置や出力、ドライバーなどの諸元は、設計事項であり、かつ実験により適切な仕様のものを選択する。
【０１００】
上述した表示板４７ｃと、露光機４７ｄとにより、収納部４７ｇに収納された状態の表示板４７ｃにフルカラーの７セグメント数値を形成することが可能になる。尚、ここでフルカラーの７セグメント数値を形成する例を示したが、これに限定されるものでなく、どの様な図柄、例えば、文様やキャラクタ図柄、或いは文字などの形成を行う構成にしても良い。又、光学系と、キャラクタージェネレータとを利用して、生成した画像をフルカラー型のフォトクロミック材料の層に投影し、露光する構成にしてもよい。この場合には、自由なフルカラー画像や図柄を表示させることが可能になる。
【０１０１】
この様に所望の図柄が形成された表示板４７ｃは、図４に示した表示板移動装置４７ｅによって、特別図柄液晶表示部４７ａの表示面４７ｆ上に移動可能に構成されている。表示板移動装置４７ｅは、図示しないステッピングモータやコックドベルト４７ｗ、プーリ４７ｘなどから構成され、音声ランプ図柄制御基板７からの指令に基づいて、表示板４７ｃを収納部４７ｇから引き出して、表示面４７ｆ上の所定位置に移動させる。例えば、図４に２点鎖線で示すように、表示板４７ｃを表示面４７ｆに表示された図柄４７ｙを覆う位置４７ｚに移動させるような動作を行う。尚、移動させる動作の態様は、後述する。
【０１０２】
次に、主基板１からの指令に基づいて、表示板４７ｃを表示板移動装置４７ｅで所定の位置に移動させるための制御を説明する。
図７は、音声ランプ図柄制御基板７によって、所定時間（数ミリ秒）毎に起動される表示板制御処理ルーチンのフローチャートである。
【０１０３】
この表示板制御処理ルーチンが起動されると、先ず主基板１から送信されてくる図柄指定コマンドの読み込みを行う（Ｓ１００）。ここで読み込まれる図柄指定コマンドは、表示板４７ｃに表示する図柄と、その表示方法を指定する目的で用いられるものである。例えば、表示板４７ｃに表示させる図柄が経時情報と共に指定される内容である。
【０１０４】
次いで、主基板１から送信されてくる移動状態指定コマンドの読み込みを行う（Ｓ１１０）。この移動状態指定コマンドは、表示板移動装置４７ｅへの指令に用いられるものであって、例えば、表示面４７ｆの位置情報が経時情報と共に指定される内容である。
【０１０５】
次に、主基板１から送信されてくる確定コマンドの読み込みを行う（Ｓ１２０）。この確定コマンドは、図柄を確定させるタイミングを指令するために用いられる。
尚、Ｓ１００〜Ｓ１２０の処理で読み込むコマンドは、表示板４７ｃの制御に関するものである、特別図柄液晶表示部４７ａの表示面４７ｆに図柄を表示する制御に関しては、慣用されている方法とほぼ同様であり、詳細な説明を省略する。
【０１０６】
Ｓ１００〜Ｓ１２０の処理が行われると、この入力した主基板１からの指令に基づいて、図柄露光処理（Ｓ１３０）、表示板移動処理（Ｓ１４０）、表示板位置確定処理（Ｓ１５０）を実行する。
図柄露光処理では、図８に示すように、先ず表示板４７ｃが露光機４７ｄによる露光が可能な位置にあるかを、露光機４７ｄに設けられた図示しないセンサの検出状態に基づいて判断し（Ｓ２００）、露光が可能な位置になるまで待機を行う。表示板４７ｃの露光が可能な位置になったら、次に露光を行うタイミングであるかを図柄指定コマンドに基づいて判断し（例えば、図柄指定コマンドに対応する指示内容に、図柄の指示と、その経時情報があるか否かに基づいて判断し）（Ｓ２１０）、露光が可能で（Ｓ２００）、かつ露光タイミングであれば（Ｓ２１０）、先ず露光機４７ｄの所定の発光セグメント４７ｔの紫外線発光素子４７ｓに紫外線発光をさせることで、対向するセグメント４７ｊに紫外線を所定量照射して、セグメント４７ｊの底部４７ｌに形成されたフルカラー型のフォトクロミック材料の層４７ｍを初期状態にするリセット露光を行い（Ｓ２２０）、次いで、露光機４７ｄの所定の発光セグメント４７ｔの赤、緑、青発光素子４７ｏ、４７ｐ、４７ｑ又は、白色発光を行う発光素子４７ｒを所定量駆動して、初期状態にしたフルカラー型のフォトクロミック材料の層４７ｍを所定の色彩を呈する状態にする図柄生成露光を実行する（Ｓ２３０）。例えば、赤発光素子４７ｏのみを駆動して、赤色を呈するようにしたり、緑発光素子４７ｐのみを駆動して、緑色を呈するようにしたり、青発光素子４７ｑのみを駆動して、青色を呈するようにしたり、赤発光素子４７ｏと緑発光素子４７ｐを駆動して、黄色を呈するようにしたりする。
【０１０７】
このＳ２２０と、Ｓ２３０の処理とが実行されることで、表示板４７ｃの各セグメント４７ｊが所定の色彩にされ、所定の図柄を表示する状態になる。
このように所定の図柄の表示された表示板４７ｃは、図７の表示板移動処理（Ｓ１４０）で、特別図柄液晶表示部４７ａの表示面４７ｆ上に移動され、遊技者によって、その図柄が表示面４７ｆ上を移動したり、停止したりする興味のある物体として、認識されるようになる。尚、表示板４７ｃの図柄は、１回の特別図柄遊技で、１種類の図柄を表示するものであっても良く、複数種類の図柄を表示するものであっても良い。又、表示板４７ｃの表現する図柄は、大当りの判定に用いられる確定図柄だけ表示するものであっても良く、或いは、確定図柄とは相異する図柄を表示する図柄であっても良い。しかも、この相異する図柄は、確定図柄への移行段階に表示されるようにしても良い。その上、表示板４７ｃは、１回の特別図柄遊技で、１回だけ、或いは０回、表示面４７ｆ上に出現するものでも良く、或いは複数回出現するものでも良い。
【０１０８】
表示面４７ｆ上に移動した表示板４７ｃは、次の表示板位置確定処理（Ｓ１５０）によって、確定位置で、移動が停止され、表示面４７ｆ上の図柄と、共同しして、特別図柄遊技の抽選結果を表現する。例えば、外れであるとか、大当りであるとかを表現する。尚、確定図柄を表現した後は、次の特別図柄を開始するまでのインターバル期間や大当り遊技を開始するまでのインターバル期間に、移動され、収納部４７ｇに収納される。
【０１０９】
尚、大当り遊技中に表示板４７ｃを表示面４７ｆ上に出現させて、遊技の興趣を向上するようにしても良い。
次に、図９と、図１０に基づいて、表示板４７ｃによる遊技の演出例を説明する。
【０１１０】
図９、図１０は、表示面４７ｆに３ドラムの特別図柄４７ｆａ、４７ｆｂ、４７ｆｃが表示され、収納部４７ｇ内の表示板４７ｃに図柄４７ｃａが形成される状態などを示す。尚、図１０は、表示面４７ｆの図示を省略する。
図９の（Ａ）の（１）に示すように、２つのドラムの特別図柄４７ｆａ、４７ｆｂが例えば「７」でリーチになり、他の１つの特別図柄４７ｆｃが変動状態で、表示板４７ｃの図柄４７ｃａを、例えば「７」に形成しておく。
【０１１１】
図９の（Ａ）の（２）に示すように、他の１つの特別図柄４７ｆｃが例えば「８」になって、外れたと思わせる。
図９の（Ａ）の（３）に示すように、表示板４７ｃの図柄ｃａを、他の１つの特別図柄４７ｆｃを覆う位置まで移動させ、特別図柄遊技を確定させる。
【０１１２】
この様にすることで、物理的に物体（表示板４７ｃ）が移動することで、単なるディスプレイによる画像表示での演出効果を遥かにしのぐ衝撃を遊技者に与え、遊技者に大きな意外性、斬新性を感じさせることが出来る。又、その後の表示板４７ｃの動き（大当りの位置で止まるか否か）や図柄の内容（大当りの可能性がある図柄か否か）によって、遊技者を一喜一憂させることが出来る。この結果、斬新な遊技性を遊技者に提供して、遊技者の興趣を極めて高くすることが出来、遊技者による遊技機の選択動機を提供し、遊技機の商品性を著しく向上させることが可能になるという極めて優れた効果を奏する。
【０１１３】
図９の（Ｂ）の（１）に示すように、特別図柄４７ｆａが例えば「７」、特別図柄４７ｆｂが例えば「６」の状態で、他の１つの特別図柄４７ｆｃが変動状態で、表示板４７ｃの図柄ｃａを、例えば「７」に形成しておく。
図９の（Ｂ）の（２）に示すように、他の１つの特別図柄４７ｆｃが例えば「７」になって、外れたと思わせる。
【０１１４】
図９の（Ｂ）の（３）に示すように、表示板４７ｃの図柄ｃａを、特別図柄４７ｆｂを覆う位置まで移動させ、特別図柄遊技を確定させる。
この様にすることで、図９の（Ａ）と同様の効果に加え、リーチを経ずに大当りになる意外性を提供することが出る。
【０１１５】
従って、遊技性が更に向上するという極めて優れた効果を奏する。
図１０の（１）に示すように、特別図柄４７ｆａが例えば「７」、特別図柄４７ｆｂが例えば「７」でリーチになり、他の１つの特別図柄４７ｆｃが変動状態で、表示板４７ｃの図柄ｃａを、例えば「８」に形成しておく。
【０１１６】
図１０の（２）に示すように、他の１つの特別図柄４７ｆｃが例えば「６」になって、外れたと思わせる。
図１０の（３）に示すように、表示板４７ｃの図柄ｃａを、特別図柄４７ｆａを覆う位置まで移動させて、やっぱり外れたかと思わせる。
【０１１７】
図１０の（４）に示すように、表示板４７ｃの図柄ｃａを、収納部４７ｇに戻す。まだ、図柄は確定させない。
図１０の（５）に示すように、表示板４７ｃの図柄ｃａを、収納部４７ｇで例えば「７」に替える。
【０１１８】
図１０の（６）に示すように、表示板４７ｃの図柄ｃａを、収納部４７ｇから出して、特別図柄４７ｆｃを覆う位置まで移動させ、そこで確定させる。この確定により、大当りになる。
この様にすることで、図９の（Ａ）と同様の効果に加え、表示板４７ｃの図柄ｃａの変化と、表示板４７ｃの移動とにより、大当りに至る過程を様々に演出することが可能になる。
【０１１９】
従って、遊技性が更に向上するという極めて優れた効果を奏する。
次に、変形例を説明する。
図１１は、特別図柄表示装置３４７の構成の説明図、図１２は、特別図柄表示装置３４７の動作状態の説明図である。
【０１２０】
特別図柄表示装置３４７は、特別図柄表示装置４７に替えて用いられる。
特別図柄表示装置３４７は、特別図柄液晶表示部３４７ａと、特別図柄補足装置３４７ｂとを備えている。特別図柄液晶表示部３４７ａは、特別図柄を表示するために慣用されているものと同様のものであり、特別図柄液晶表示部４７ａとほぼ同様である。
【０１２１】
特別図柄補足装置３４７ｂは、所定の象形、ここではカメレオン形状を有する象形部材３４７ｃと、象形部材３４７ｃの外面に貼り付けられたフルカラー型のフォトクロミック材料の層３４７ｆと、この象形部材３４７ｃを移動させる象形部材移動装置３４７ｅと、その象形部材３４７ｃのフルカラー型のフォトクロミック材料の層３４７ｆを露光する露光機３４７ｄと、その象形部材３４７ｃを収納する収納部３４７ｇとを備えている。象形部材移動装置３４７ｅは、アクチュエータ３４７ｅａと、リンク機構３４７ｅｂとを備え、象形部材３４７ｃを収納部３４７ｇに収納した状態と、象形部材３４７ｃを特別図柄液晶表示部３４７ａの前面に露出させた状態とを有する。象形部材３４７ｃは、収納部３４７ｇに収納した状態で、露光機３４７ｄによるフルカラー露光が可能である。
【０１２２】
尚、露光機３４７ｄが発光すると、その発光が特別図柄液晶表示部３４７ａに漏れる構造である。この漏れ光も遊技の演出に活用して、遊技性を向上する役に立たせることが可能である。
これらにより、特別図柄補足装置３４７ｂは、次の様に動作する。
【０１２３】
▲１▼露光機３４７ｄによって、象形部材３４７ｃのフルカラー型のフォトクロミック材料の層３４７ｆを所定の色彩に変化させる。例えば、白色、緑色、赤色、青白、黄色など。
▲２▼象形部材移動装置３４７ｅによって、象形部材３４７ｃを隠蔽状態から特別図柄液晶表示部３４７ａの前面に、出現させる。
【０１２４】
次に、特別図柄表示装置３４７による遊技の演出例を説明する。
▲１▼特別図柄液晶表示部３４７ａによって、図１２の（Ａ）に示す様な特別図柄を表示する。例えば、とんぼ様図柄３４７ａａが２個揃って、リーチになり、残りの図柄３４７ａｂが変動している状態で、表示面３４７ａｃをとんぼ様画像３４７ａｄが横切っていく。
【０１２５】
▲２▼この状態で象形部材３４７ｃが下りてきて、図１２の（Ｂ）の様になる。
ここで、象形部材３４７ｃのカメレオンがとんぼ様画像３４７ａｄを食べることに成功する画像が表示されたら、大当り、失敗すれば外れとする。
▲３▼上記▲２▼で出現する象形部材３４７ｃのカメレオンの外面色に応じて、大当りに移行する確率を変更する。例えば、赤色ならば、１０パーセントの確率で、大当りに移行し、緑色なら５０パーセント、黄色ならば、１００パーセントの確率で大当りに移行する。
【０１２６】
これらにより、特別図柄表示装置３４７は、象形部材３４７ｃが出現するか否か、および出現した象形部材３４７ｃ色彩によって、大当りに移行する可能性を表現することが可能である。
従って、遊技者は、象形部材３４７ｃの出現の有無や、その色彩によって、大当りへの期待感を増大させることができ、斬新な遊技性を提供することが可能になると言う極めて優れた効果を奏する。
【０１２７】
又、象形部材３４７ｃの外面色と、特別図柄液晶表示部３４７ａに表示される画像の所定エリア、所定箇所、所定事象、所定のキャラクタ、所定の文字、所定の図案、又は所定のマークの色彩との相関関係や同調関係によって、大当りや、その他の特定の状態に移行する可能性の度合い、つまり確率を表現する様にしても良い。
【０１２８】
例えば、特別図柄液晶表示部３４７ａの背景色が赤色の場合に、象形部材３４７ｃの外面色が赤色で出現した場合に、同調状態が極めて高いことから、大当りに移行する確率が７０パーセントの信頼性があるようにする。つまり、信頼度７０パーセントとする。又、背景色が赤色で、象形部材３４７ｃが橙色の場合は、信頼度５０パーセント、背景色が赤色で、象形部材３４７ｃが黄色の場合は、信頼度３０パーセント、背景色が赤色で、象形部材３４７ｃが緑色の場合は、信頼度１０パーセントの様にする。
【０１２９】
或いは、背景色が青色で、象形部材３４７ｃが青色の場合は、信頼度５０パーセント、背景色が青色で、象形部材３４７ｃが緑色の場合は、信頼度３０パーセント、背景色が青色で、象形部材３４７ｃが赤色の場合は、信頼度１０パーセントの様にする。
【０１３０】
又、背景の桜が満開のピンク色で、象形部材３４７ｃ（例えば、花咲じいさんの頭巾の色）がピンク色の場合は、信頼度９０パーセント、背景の桜が散り始めの薄いピンク色で、象形部材３４７ｃがピンク色の場合は、信頼度５０パーセント、背景の木が葉桜の緑色で、象形部材３４７ｃが緑色の場合は、信頼度１０パーセントの様にする。
【０１３１】
つまり、色彩が同調するほど、信頼度を高くする。又、更に色彩が同調していても、色彩が高揚感を与える暖色系ほど信頼度を高くし、寒色系ほど信頼度を低くする。
この様に、特別図柄液晶表示部３４７ａによる画像の色彩と、出現する象形部材３４７ｃの色彩との同調関係、対応関係や、更に色彩の傾向（例えば、暖かさや行動的な状態の表現に向く暖色系か、萎縮状態の表現に向く寒色系）を加えた上での相互の同調間系や対応関係に基づいて、信頼度を表現することで、従来の単にキャラクタ模型などが出現する遊技方法に比較して、格段に高い遊技の興趣、或いは多段階の信頼度の表現を有する予告表現や遊技表現を提供することが可能になると言う極めて優れた効果を奏する。
【０１３２】
次に、他の変形例を説明する。
図１３は、特別図柄表示装置４４７の構成（図１３の（Ａ）は、正面図、（Ｂ）は、部分断面の平面図）の説明図、図１４は、特別図柄表示装置４４７の動作状態の説明図である。
【０１３３】
特別図柄表示装置４４７は、特別図柄表示装置４７に替えて用いられる。
特別図柄表示装置４４７は、特別図柄液晶表示部４４７ａと、特別図柄変更装置４４７ｂとを備えている。特別図柄液晶表示部４４７ａは、特別図柄を表示するために慣用されているものと同様のものであり、特別図柄液晶表示部４７ａとほぼ同様である。
【０１３４】
特別図柄変更装置４４７ｂは、回胴状（ドラム状）、ここでは６図柄（４４７ｃａ、ｃｂ、ｃｃ、ｃｄ、ｃｅ、ｃｆ）１ドラム４４７ｃｇを有する回胴部材４４７ｃと、回胴部材４４７ｃの外面に貼り付けられたフルカラー型のフォトクロミック材料の層４４７ｆと、この回胴部材４４７ｃを回転移動させる回胴部材回転移動装置４４７ｅと、その回胴部材４４７ｃのフルカラー型のフォトクロミック材料の層４４７ｆを露光する露光機４４７ｄと、その回胴部材４４７ｃを露光するする露光室４４７ｇとを備えている。回胴部材回転移動装置４４７ｅは、図示しないステッピングモータを備え、回胴部材４４７ｃを露光室４４７ｇに向けた状態と、回胴部材４４７ｃを特別図柄液晶表示部４４７ａの前面側（遊技者側）に露出させた表示状態４４７ｃａａとを有する。回胴部材４４７ｃの６図柄４４７ｃａ、ｃｂ、ｃｃ、ｃｄ、ｃｅ、ｃｆは、露光室４４７ｇに向けた態で、露光機４４７ｄによるフルカラー露光が可能である。
【０１３５】
これらにより、特別図柄変更装置４４７ｂは、次の様に動作する。
▲１▼露光機４４７ｄによって、回胴部材４４７ｃの６図柄４４７ｃａ、ｃｂ、ｃｃ、ｃｄ、ｃｅ、ｃｆのフルカラー型のフォトクロミック材料の層４４７ｆを所定の色彩に変化させる。例えば、白色、緑色、赤色、青白、黄色など。
【０１３６】
▲２▼回胴部材回転移動装置４４７ｅによって、回胴部材４４７ｃを所定回転位置にする。
次に、特別図柄表示装置４４７による遊技の演出例を説明する。
▲１▼回胴部材４４７ｃの６図柄４４７ｃａ、ｃｂ、ｃｃ、ｃｄ、ｃｅ、ｃｆは、図１４の（Ａ）に示すように構成されている。
【０１３７】
▲２▼特別図柄液晶表示部４４７ａによって、図１３の（Ａ）に示す様な特別図柄を表示する。例えば、「Ａで赤色」の図柄４４７ａａが２個揃って、リーチになり、残りの図柄４４７ａｂが変動、又はほぼ停止している状態になる。
▲３▼この状態で回胴部材４４７ｃが回転移動して、図１４の（Ｂ）に示すように、表示状態４４７ｃａａが「Ａで青色」の図柄４４７ｃｂになる。この状態で表示状態４４７ｃａａが止まれば、外れとする。或いは、小当り、通常当りとする。
【０１３８】
▲４▼更に、回胴部材４４７ｃが回転移動して、図１４の（Ｃ）に示すように、表示状態４４７ｃａａが「Ａで黄色」の図柄４４７ｃｃになる。この状態で表示状態４４７ｃａａが止まれば、外れとする。或いは、小当り、通常当りとする。
▲５▼更に、回胴部材４４７ｃが回転移動して、図１４の（Ｄ）に示すように、表示状態４４７ｃａａが「Ａで赤色」の図柄４４７ｃｄになる。この状態で表示状態４４７ｃａａが止まれば、大当りとする。
【０１３９】
これらにより、特別図柄表示装置４４７は、回胴部材４４７ｃが表示する図柄や色彩によって、大当りや小当り、外れなどを表現することが可能である。
従って、遊技者は、回胴部材４４７ｃの表示状態によって、大当りへの期待感を増大させることができ、斬新な遊技性を提供することが可能になると言う極めて優れた効果を奏する。
【０１４０】
以上に説明した遊技機５は、特別図柄液晶表示部４７ａによる特別図柄遊技の抽選結果の表現に、表示板４７ｃによる新たな抽選結果の表現手法、特別図柄液晶表示部３４７ａによる特別図柄遊技の抽選結果の表現に、象形部材３４７ｃによる新たな抽選結果の表現手法、又は特別図柄液晶表示部４４７ａによる特別図柄遊技の抽選結果の表現に、回胴部材４４７ｃによる新たな抽選結果の表現手法、即ち液晶表示板でもなく、発光素子による表示板でもなく、模型や図柄による表示板でもないフルカラー型フォトクロミック材料による可逆的に図柄が書き換えられる表示手法が加えられ、今まで遊技者が一度も経験したことがない特別図柄遊技の抽選結果の表現技術、つまり、特別図柄液晶表示部４７ａに表示された図柄を表示板４７ｃで覆うことで、図柄を置き換えたり、図柄を合成したりする表現技術が提供されることになり、結果として、遊技性が高く、かつ遊技の興趣を向上する技術、及びそれを可能にする新たな構成の提供が可能になる。又、特別図柄液晶表示部３４７ａに表示された図柄の近傍に、象形部材３４７ｃを隠蔽状態から露出させる表現技術が提供されることになり、結果として、遊技性が高く、かつ遊技の興趣を向上する技術、及びそれを可能にする新たな構成の提供が可能になる。しかも、特別図柄液晶表示部４４７ａに表示された図柄の近傍に、回胴部材４４７ｃを表示して、その表示内容で抽選結果の表現を変更させる表現技術が提供されることになり、結果として、遊技性が高く、かつ遊技の興趣を向上する技術、及びそれを可能にする新たな構成の提供が可能になる。つまり、新たな斬新な遊技の表現技術の系統を構築することが可能になる。又、これは、簡便で、かつ部品点数や組立工数の増加を最小限に抑えたうえで、提供されるという極めて優れた効果を奏する。
【０１４１】
次に特許請求の範囲と、実施の態様との対応関係を説明する。
請求項１の第１表示手段は、特別図柄液晶表示部４７ａ、３４７ａ、４４７ａ第２表示手段は、特別図柄表示板表示部４７ｂ、特別図柄補足装置３４７ｂ、特別図柄変更装置４４７ｂ、図柄形成部は、図柄表示部４７ｉ、象形部材３４７ｃの表面、回胴部材４４７ｃの表面にフルカラー型のフォトクロミック材料の層４４７ｆが張られた箇所、図柄形成手段は、露光機４７ｄ、３４７ｄ、４４７ｄ、Ｓ１３０の図柄露光処理、図柄形成部移動手段は、表示板移動装置４７ｅ、象形部材移動装置３４７ｅ、回胴部材回転移動装置４４７ｅ、Ｓ１４０の表示板移動処理、Ｓ１５０の表示板位置確定処理がそれぞれ対応する。
【０１４２】
請求項２の図柄形成部移動手段は、表示板移動装置４７ｅ、象形部材移動装置３４７ｅ、Ｓ１４０の表示板移動処理、Ｓ１５０の表示板位置確定処理、図柄形成部は、図柄表示部４７ｉ、象形部材３４７ｃの表面、第１表示手段は、特別図柄液晶表示部４７ａ、３４７ａがそれぞれ対応する。
【０１４３】
請求項５、６、７の内容は、図９、図１０に基づく説明の内容が対応する。
請求項８の内容は、図１３、図１４に基づく説明の内容が対応する。
請求項９の象形部材は、象形部材３４７ｃが対応する。
請求項１０の内容は、図１３、図１４に基づく説明の内容が対応する。
【０１４４】
請求項１１の内容は、図１１、図１２に基づく説明の内容が対応する。
【図面の簡単な説明】
【図１】遊技機５の正面図である。
【図２】遊技機５の主基板１と、賞球制御基板３、音声ランプ図柄制御基板７と、発射制御基板１３と、電源基板１５との間のインタフェースに関するブロック図である。
【図３】遊技機５の電気制御系のブロック図である。
【図４】特別図柄表示装置４７の構成図である。
【図５】図５の（Ａ）は、図柄表示部４７ｉの部分正面図、図５の（Ｂ）は、Ａ−Ａ断面図である。
【図６】図６の（Ａ）は、露光機４７ｄの露光部４７ｎの正面図、図６の（Ｂ）は、そのＢ−Ｂ断面図である。
【図７】音声ランプ図柄制御基板７によって、所定時間（数ミリ秒）毎に起動される表示板制御処理ルーチンのフローチャートである。
【図８】図柄露光処理ルーチンのフローチャートである。
【図９】表示板４７ｃによる遊技の演出例の説明図である。
【図１０】表示板４７ｃによる遊技の演出例の説明図である。
【図１１】特別図柄表示装置３４７の構成の説明図である。
【図１２】特別図柄表示装置３４７の動作状態の説明図である。
【図１３】特別図柄表示装置４４７の構成（図１３の（Ａ）は、正面図、（Ｂ）は、部分断面の平面図）の説明図である。
【図１４】特別図柄表示装置４４７の動作状態の説明図である。
【符号の説明】
１…主基板、３…賞球制御基板、５…遊技機、
７…音声ランプ図柄制御基板、１３…発射制御基板、１５…電源基板、
１６…入力ＳＷ、２１…盤用外部端子板、３７…賞球モータ、
４１…枠用外部端子板、４６…状態表示器、
４７、３４７、４４７…特別図柄表示装置、
４７ａ、３４７ａ、４４７ａ…特別図柄液晶表示部、
４７ｂ…特別図柄表示板表示部、
４７ｃ…表示板、４７ｃａ…図柄、４７ｄ、３４７ｄ、４４７ｄ…露光機、
４７ｅ…表示板移動装置、４７ｆ…表示面、
４７ｆａ、４７ｆｂ、４７ｆｃ…特別図柄、
４７ｇ…収納部、４７ｈ…ベース板、４７ｉ…図柄表示部、
４７ｊ…セグメント、４７ｋ…凹状、４７ｌ…底部、
４７ｍ…層、４７ｎ…露光部、４７ｏ…赤発光素子、
４７ｐ…緑発光素子、４７ｑ…青発光素子、４７ｒ…白色発光を行う発光素子、
４７ｓ…紫外線発光素子、４７ｔ…発光セグメント、４７ｕ…壁部、
４７ｖ…突出部、４７ｗ…コックドベルト、４７ｘ…プーリ、
４７ｙ…図柄、４７ｚ…位置、４９…普通図柄表示装置、
５１…スピーカー、５３…電飾、６１…タッチプレート、
６５…発射モータ、１０１…遊技機枠、１０３…遊技盤、
１０５…上皿、１０６…遊技球、１０７…下皿、
１０９…発射ハンドル、１１１…特別図柄始動入賞口、１１２…普通電動役物、
１１３…普通図柄始動口、１１５…マスコット飾り、１１６…大入賞口、
１２３…停電信号作成回路、１２５…リセット信号作成回路、
１２７…主基板及び賞球制御基板用バックアップ電源作成回路、
１４１…システムリセット回路、１４３…停電信号受信回路、
１４５…クリア信号受信回路、１４７、１６９…ポート回路、
１４９…ストローブ信号送信回路、１５０…データ信号送信回路、
１５１…ＲＥＳＥＴ端子、１５３、１７５…ＮＭＩ端子、
１５９…ＤＡＴＡ端子、１６１…システムリセット回路、
１６３…停電信号受信回路、１６５…ストローブ信号受信回路、
１６７…データ信号受信回路、１７１…発射制御信号出力回路、
１７３、１８９…ＲＥＳＥＴ端子、１７７…クリア信号受信回路、
１７９…ＣＬＫ／ＴＲＧ２端子、
１５７、１８０、１９３、１９４、１９６…ＰＯＲＴ端子、
１８２…同期信号出力回路、１８３…ＤＡＴＡ端子、
１８４…システムリセット回路、１８５…ストローブ信号受信回路、
１８７…データ信号受信回路、
１９１…ＩＮＴ０端子、２５１…発射制御回路、２５３…リセット回路、
２５５…発射制御信号入力回路、３４７ａａ、３４７ａｄ…とんぼ様図柄、
３４７ａｂ…図柄、３４７ａｃ…表示面、３４７ｂ…特別図柄補足装置、
３４７ｃ…象形部材、３４７ｅ…象形部材移動装置、
３４７ｅａ…アクチュエータ、３４７ｅｂ…リンク機構、
３４７ｆ、４４７ｆ…フルカラー型のフォトクロミック材料の層、
３４７ｇ…収納部、４４７ａａ、４４７ａｂ、４４７ｃａないしｃｆ…図柄、
４４７ｂ…特別図柄変更装置、４４７ｃ…回胴部材、
４４７ｃａａ…表示状態、４４７ｃｇ…ドラム、
４４７ｅ…回胴部材回転移動装置、４４７ｇ…露光室
【図１】
2004254772.tif 000003
【図２】
2004254772.tif 000004
【図３】
2004254772.tif 000005
【図４】
2004254772.tif 000006
【図５】
2004254772.tif 000007
【図６】
2004254772.tif 000008
【図７】
2004254772.tif 000009
【図８】
2004254772.tif 000010
【図９】
2004254772.tif 000011
【図１０】
2004254772.tif 000012
【図１１】
2004254772.tif 000013
【図１２】
2004254772.tif 000014
【図１３】
2004254772.tif 000015
【図１４】
2004254772.tif 000016